(57)【要約】      （修正有）【課題】靴、スリッパ等を安定した状態で効率よく干すことができる多目的物干ハンガーを提供することにある。【解決手段】ロクロ３０と、前記ロクロを吊り下げるつり軸１０と、前記ロクロに起倒自在に取り付けられたハンガー部２０とからなり、前記つり軸はロクロの中央部に穿設したつり軸挿通孔に挿通して取り付けられており、前記ハンガー部は、先端部に挿入環を有するアーム２１の下端部に回動軸を設けてなり、前記アームの下端部をロクロに設けた長孔に挿通するとともに、前記回動軸を長孔と直交するように軸着してなり、ハンガー部を倒したときに、アームが長孔の上面では外側端部に係止し、長孔の下面では内側端部に係止するように取り付けられている。【選択図】図１
0003115426.tif 000002
【実用新案登録請求の範囲】
【請求項１】
ロクロと、前記ロクロを吊り下げるつり軸と、前記ロクロに起倒自在に取り付けられたハンガー部とからなり、前記つり軸はロクロの中央部に穿設したつり軸挿通孔に挿通して取り付けられており、前記ハンガー部は、先端部に挿入環を有するアームの下端部に回動軸を設けてなり、前記アームの下端部をロクロに設けた長孔に挿通するとともに、前記回動軸を長孔と直交するように軸着してなり、ハンガー部を倒したときに、アームが長孔の上面では外側端部に係止し、長孔の下面では内側端部に係止するように取り付けられていることを特徴とする多目的物干ハンガー。
【請求項２】
挿入環が楕円形であって楕円形の面が上方をむくように取り付けられており、アームは先端部と下端部に分割形成されており、前記先端部と下端部とは着脱自在に連結することができることを特徴とする請求項１に記載の多目的物干ハンガー。
【請求項３】
回動軸はアームに着脱自在に取り付けられており、回動軸を軸着したままアームのみを取り替えることができる請求項１に記載の多目的物干ハンガー。
【請求項４】
ロクロは、上板、中板及び下板を重ね合わせて形成され、上板と下板にはアームの下端部を挿通する長孔が放射状に穿設されており、中板には前記長孔と重なり合う長孔と回動軸を嵌合する長孔が形成されていることを特徴とする請求項１〜３のいずれか１項に記載の多目的物干ハンガー。
【請求項５】
ロクロは、上板と下板とからなり、上板にはアームの下端部を挿通する長孔が放射状に穿設されており、下板には、前記長孔と重なり合う長孔と回動軸を嵌合する段状の切欠が形成されていることを特徴とする請求項１〜３のいずれか１項に記載の多目的物干ハンガー。
【考案の詳細な説明】
【技術分野】
【０００１】
この考案は、靴をはじめとして、スリッパ、靴下、足袋等の袋状着用物ばかりでなく、フレームを取り替えることによってタオル、ハンカチ等の洗濯物を干すことができるようにした多目的物干ハンガーに関するものである。
【背景技術】
【０００２】
従来、洗濯物を干すには、物干竿に掛けて洗濯挟みで挟んで止めるか、物干具に備えられた洗濯挟みに挟み付けて吊り下げられる。しかしながら、物干竿には靴、スリッパのような折り畳めないものは干すことができないし、洗濯挟みで挟んで吊り下げる場合には、挟む力が弱いと落下するおそれがある。また、このような洗濯挟みを利用する場合には、履き口が上方に向くので乾燥までの時間がかかるとともに、型崩れするという問題がある。
【０００３】
そこで、上向きに設けられた先端を開拡型形状に形成した挿入フレームに靴下や足袋、靴等の袋状着用具を挿入して型崩れすることなく干すことができる袋状着用具の物干ハンガーが、特開平０７−３０８４９２号公報に記載されている。即ち、前記公報記載の物干ハンガーは、フックを有するつり軸に、挿入フレームを突設し、前記挿入フレームを袋状着用具を開拡可能に支持しうるように先端が開拡型形状に形成したものである。
【特許文献１】特開平０７−３０８４９２号公報
【考案の開示】
【考案が解決しようとする課題】
【０００４】
しかしながら、前記公報記載のものは、挿入フレームがつり軸に対して一体に取り付けられており、他の挿入フレームと取り替えることはできない。また、この物干ハンガーは、フレームの先端を丸いループに折り曲げて開拡型形状に形成したものであり、ループの面は垂直方向に形成されているから、靴を安定した状態で干すことができなという問題がある。
【０００５】
そこで、この考案の目的は、靴、スリッパ、足袋、靴下等を安定した状態で干すことができるばかりでなく、物干し用ハンガー部を取替え可能として多目的に利用することができる取替え可能なハンガー部を有する多目的物干ハンガーを提供することにある。
【課題を解決するための手段】
【０００６】
この考案に係る多目的物干ハンガーは、ロクロと、前記ロクロを吊り下げるつり軸と、前記ロクロに起倒自在に取り付けられたハンガー部とからなり、前記つり軸はロクロの中央部に穿設したつり軸挿通孔に挿通して取り付けられており、前記ハンガー部は、先端部に挿入環を有するアームの下端部に回動軸を設けてなり、前記アームの下端部をロクロに設けた長孔に挿通するとともに、前記回動軸を長孔と直交するように軸着してなり、ハンガー部を倒したときに、アームが長孔の上面では外側端部に係止し、長孔の下面では内側端部に係止するように取り付けられていることを特徴とする。
挿入環の形状は特に限定されないが、挿入環は楕円形であって楕円形の面が上方を向いており、アームは先端部と下端部に分割形成して先端部と下端部とを着脱自在に連結する構成とすることができる。また、回動軸をアームに着脱自在に取り付け、回動軸をロクロに軸着したままアームのみを取り替えることができるようにしてもよい。
また、前記ロクロは、上板、中板及び下板を重ね合わせて形成され、上板と下板にはアームの下端部を挿通する長孔が放射状に穿設されており、中板には前記長孔と重なり合う長孔と回動軸を嵌合する長孔が形成されている構成とすることができる。さらに、ロクロは、上板と下板とからなり、上板にはアームの下端部を挿通する長孔が放射状に穿設されており、下板には、前記長孔と重なり合う長孔と回動軸を嵌合する段状の切欠が形成されている構成としてもよい。
【考案の効果】
【０００７】
この考案に係る多目的物干ハンガーは、靴の中に挿入環を挿入し、靴底を上方に向けることにより安定した状態で干すことができるばかりでなく、履き口が下を向くことになり、水切れが早く短時間で乾燥させることができる。
また、ハンガー部を取替え可能とすることによって、干す袋状着用物に合わせたハンガー部を取り付けることができるから、効率よく乾燥させることができるとともに、型崩れが生じることなく多目的に利用することができる。
また、ハンガー部の一部のみをそれぞれの洗濯物に合わせて取り替えることによって、ハンガー部を効率的に使用することができるばかりでなく、干す場所も有効に利用することができる
【考案を実施するための最良の形態】
【０００８】
次に、この考案に係る多目的物干ハンガーの実施形態を図面に基づいて説明する。図１は、物干ハンガーの全体を示す斜視図、第２図は、つり軸及びハンガー部を取り付けるロクロの分解斜視図、図３は、ロクロの部分断面図である。この考案に係る物干ハンガー１は、つり軸１０とハンガー部２０とロクロ３０からなる。
【０００９】
前記つり軸１０は、下端部をロクロ３０の中心に穿設された挿入孔３１に挿入し、ロクロ３０の上下面をナット１１，１２によって固定し、上端部にはフック１３が取り付けられている。このつり軸１０によってロクロ３０とともに、ハンガー部２０を吊り下げることができる。
【００１０】
前記ハンガー部２０は、アーム２１、２１の先端部に靴、スリッパ、足袋、靴下等の中に挿入する楕円形状の挿入環２２、２２が一体に設けられており、アーム２１、２１の下端部に回動軸２３が設けられている。前記アーム２１、２１の断面形状は、特に限定されるものではなく、図４、図５及び図７に示すような円形、四角形の他に楕円形、多角形等適宜選択することができる。
【００１１】
前記挿入環２２は、靴、スリッパの底部を面状に受けて上に向けるとともに、つま先部を上方に向けることによって安定した状態で干すことができるばかりでなく、水切りを良くするものである。
【００１２】
従って、挿入環２２、２２は、図１に示すように、形成する面が上方を向くように配設されている。挿入環２２の形状は、図示する実施形態のように楕円形状に限定されるものではなく、ハート形、菱形、長方形状、四角形状、瓢箪形等任意の形状に変更することができる。
【００１３】
アーム２１、２１の下端部に設けられている回動軸２３は、前記挿入環２２、２２の面が上方に向くように、挿入環２２と同じ方向に形成されている。回動軸２３は、図４及び図５に示すように、アーム２１、２１を貫通させて取り付けてもよいし、後述する図７に示すように、アーム２１、２１の外面にネジ止めするか、ボルトとネットによって着脱自在に取り付けてもよい。
【００１４】
次に、前記アーム２１、２１を軸受けするロクロ３０について説明する。ロクロ３０は、上板３２と中板３３と下板３４とからなり、中心部につり軸挿入孔３１が穿設されている。さらに、上板３２と下板３４には、前記つり軸挿入孔３１を中心にして放射状に前記アーム２１を挿入する長孔３５、３５が穿設されており、周縁部にボルト孔３６、３６が穿設されている。上板３２と下板３４の長孔３５とボルト孔３６は、それぞれ重なり合う位置に形成されており、従って、上板３２と下板３４は同一形状に構成されている。
【００１５】
前記中板３３には、前記長孔３５、３５と重なり合う位置に十字状孔３７、３７が形成されている。十字状孔３７、３７を形成する放射状の長孔３７ａは、長孔３５と同じ大きさであり、円周方向の軸孔３７ｂは、前記長孔３７ａに直交しており、回動軸２３が挿入される。
【００１６】
軸孔３７ｂは、回動軸２３をルーズな状態で挿入して回動自在とするものであり、従って、中板３３の厚さ寸法は、回動軸２３の直径よりも大きい。また、回動軸２３は軸孔３７ｂの中でルーズな状態となっており、アーム２１が上板３２の長孔３５の上面では外側端部に係止し、下板３４の長孔３５の下面では内側端部に係止するように構成されていることが好ましい。
【００１７】
前記中板３３には、さらにボルト孔３６ａが穿設されている。ボルト孔３６ａは、上板３２と下板３４のボルト孔３６と重なり合う位置に形成されている。
【００１８】
上記構成に係るつり軸１０とハンガー部２０とロクロ３０を組み立てるには、まず、つり軸１０にナット１１を螺合させ、次いで、つり軸１０の下端部を上板３２、中板３３、下板３４の順にそれぞれつり軸挿入孔３１に挿入し、下端にナット１２を螺合させて仮止めする。
【００１９】
次いで、上板３２の長孔３５からアーム２１、２１の回動軸２３を長孔３５、３５に沿って挿入し、回動軸２３が中板３３に達したときに、アーム２１を四分の一回転させて回動軸２３を軸孔３７ｂに挿入させる。このとき、アーム２１、２１の下端部は、下板３４の長孔３５に挿入されており、下板３４の下面から突出している。
【００２０】
このようにして、全部の長孔３５、３７にアーム２１、２１を挿入した後、つり軸１０の下端に螺合しているナット１２を締め付けるとともに、ボルト孔３６，３６ａにボルト３６ｂを挿通し、ナット３６ｃで固定すればよい。上板３２、中板３３及び下板３４が一体に固定されたとき、アーム２１、２１は、回動軸２３を中心に起倒することが可能となり、倒したときには上板３２の上面と下板３４の下面で支持されており、回動軸２３は軸孔３７ｂに押し付けられているものの荷重はかかっていない。
【００２１】
このように、アーム２１が上板３２の上面と下板３４の下面で係止するように構成することによって、回動軸２３と上板３２の上面又は下板３４の下面で支持される場合に比してより大きな荷重に耐えることができる。
【００２２】
なお、上板３２、中板３３及び下板３４を一体に固定する構成は、適宜公知の構成に変更することが可能である。前記のようにボルト孔３６，３６ａに挿通したボルト３６ｂをナット３６ｃで固定する構成に限らず、上板３２と下板３４の周縁に突設した爪を中板３３に係止させる構成や、中板３３に突設した突起を上板３２と下板３４に穿設した孔に嵌入させる構成であってもよい。
【００２３】
次に、アーム２１の他の実施形態について説明する。図５は、２つに分割して着脱自在に連結したアーム２５を示し、回動軸２３を有する下端部２５ａと、靴、スリッパ等に挿入する先端部２５ｂとを着脱自在に連結してなる。下端部２５ａの端面には四角形の挿入穴２５ｃが形成されており、先端部２５ｂの端部には前記挿入穴２５ｃに挿入される四角形の挿入部２５ｄが形成されている。
【００２４】
前記挿入穴２５ｃに挿入部２５ｄを挿入するだけで、下端部２５ａと先端部２５ｂを一体に連結してアーム２５とすることができ、先端部２５ｂは上方外側に傾斜するように構成されているから、引き抜かない限り外れることはない。先端部２５ｂは、挿入環２２を有するものであってもよいが、挿入環を有せず単なる棒状体であってもよい。単なる棒状体とした場合には、ハンカチやタオルを干すのに好適である。
【００２５】
このように、連結自在なアーム２５とすることによって先端部のみを取り替えることができ、例えば、靴を干すときと靴下を干すときによって挿入環の形状を変更したアームに取り替えることができる。
【００２６】
図６及び図７は、ハンガー部２０全体を取り替えることができるようにしたものである。即ち、中央部にボルト孔２７ａを穿設した回動軸２７を軸孔３７ｂに挿入しておき、長孔３５、３７ａに挿入したアーム２８のボルト孔２８ａと前記ボルト孔２７ａにボルト２７ｂを挿通し、ナット２７ｃを螺合して固定するようにしたものである。
【００２７】
この実施形態のように、アーム２８と回動軸２７とを分離自在とすることによって、先端部の挿入環を任意の形状としたアームを必要に応じて取り替えることができる。
【００２８】
図８は、ロクロ３０の他の実施形態を示す。上記実施形態では、いずれもロクロ３０は、上板３２、中板３３及び下板３４によって形成したが、図８に示す実施形態では、中板３２ａと下板３４ａとを一体に形成したロクロ３０ａを示す。上板３２ａには長孔３５ａが形成されており、下板３４ａには十字状孔３８が形成されている。
【００２９】
十字状孔３８は、前記長孔３５ａと重なり合う長孔３８ａと前記長孔３８ａに直交する段状の切欠３８ｂとからなる。前記切欠３８ｂに回動軸２３、２７が挿入される。ロクロが上板３２ａと下板３４ａとからなる以外の他の構成は、図２、図３及び図６に示す場合と同じであり、つり軸挿入孔３１、ボルト孔３６が形成されている。従って、詳細についての説明は省略する。
【図面の簡単な説明】
【００３０】
【図１】この考案にかかる物干ハンガーの展開した状体の上面斜視図である。
【図２】ロクロの分解斜視図である。
【図３】ロクロの部分拡大断面図である。
【図４】アームの部分拡大斜視図である。
【図５】アームの分割可能な他の実施形態を示す要部斜視図である。
【図６】他の実施形態のアームを取り付けたロクロの部分拡大断面図である。
【図７】他の実施形態のアームの部分拡大斜視図である。
【図８】ロクロの他の実施形態を示す要部斜視図である。
【図９】靴にハンガー部の挿入環を挿入して靴底を上向きにした状態の説明用部分斜視図である。
【符号の説明】
【００３１】
１：物干ハンガー  
１０：つり軸  
１１，１２：ナット
２０：ハンガー部  
２１：アーム  
２２：挿入環
２３：回動軸  
２７：回動軸  
２８：十字状孔
３０：ロクロ  
３１：つり軸挿入孔  
３２：上板
３３：中板  
３４：下板  
３５：長孔  
３６：ボルト孔
３７：十字状孔
【図１】
0003115426.tif 000003
【図２】
0003115426.tif 000004
【図３】
0003115426.tif 000005
【図４】
0003115426.tif 000006
【図５】
0003115426.tif 000007
【図６】
0003115426.tif 000008
【図７】
0003115426.tif 000009
【図８】
0003115426.tif 000010
【図９】
0003115426.tif 000011